(57)【要約】【課題】遊技盤裏面に板裏カバーを螺子止めするための螺子止め部がルーター穴に近接し過ぎていることによって、板裏カバー裾部底面に対応する遊技盤裏面部位に位置決め用凹部を形成できない場合であっても、螺子止め部近傍において位置決め用凹部と板裏カバー側のボス部との嵌合による位置決めを実現できるようにした。【解決手段】貫通穴２０を有した遊技盤１と、裾部を遊技盤裏面に螺子止め固定される板裏カバー３０と、からなる遊技盤ユニットＵであって、貫通穴周縁と盤外周縁との間の遊技盤裏面に形成される位置決め用凹部４０と、板裏カバー裾部底面に突設されて位置決め用凹部に嵌合するボス部３５と、からなる位置決め部を備え、位置決め用凹部の一部が、板裏カバーの裾部の固定位置を外側に越えた遊技盤裏面にはみ出して形成される場合に、ボス部の一部を裾部底面の外側に突出させて位置決め用凹部と嵌合し得るように構成した。【選択図】図３
2012115322.tif 000002
【特許請求の範囲】
【請求項１】
盤外周縁に周縁を近接させた貫通穴を有した遊技盤と、裾部を該遊技盤の裏面に複数箇所螺子止め固定される板裏カバーと、からなる遊技盤ユニットであって、
前記貫通穴の周縁と前記盤外周縁との間の遊技盤裏面に形成される位置決め用凹部と、前記板裏カバーの裾部底面に突設されて該位置決め用凹部に嵌合する位置決め用のボス部と、からなる位置決め部を備え、
前記位置決め用凹部の一部が、前記板裏カバーの裾部の固定位置を外側に越えた遊技盤裏面にはみ出して形成される場合に、前記ボス部の一部を前記裾部底面の外側に突出させて前記位置決め用凹部と嵌合し得るように構成したことを特徴とする遊技盤ユニット。
【発明の詳細な説明】
【技術分野】
【０００１】
本発明は、ベニヤ等から成る遊技盤と、遊技盤裏面に螺子止め固定される板裏カバーとの取付け構造を改善した遊技盤ユニットに関する。
【背景技術】
【０００２】
パチンコ遊技機においては、遊技盤の遊技領域内に遊技釘、入賞口、風車、図柄表示装置、電飾装置等の各種盤面部品を設けて遊技内容の多様性を図っている。
パチンコ遊技機にあっては、図１０（ａ）の遊技盤背面略図に示すように、ベニヤ板等からなる遊技盤１００の基材にルーターにより貫通穴（ルーター穴）１０１を形成し、このルーター穴の内周縁に沿ってセンター部材等を組み付ける。
一方、遊技盤１００の裏面には、液晶表示装置、その他の部品を組み付けた板裏カバー１０５が螺子止め固定される。
図１０（ａ）に示すように、板裏カバー１０５は、その裾部１０６に沿った数カ所（本例では４箇所）の螺子止め部１０７を遊技盤裏面に螺子止めされることにより固定される。この際、図１０（ｂ）の要部分解斜視図、（ｃ）のＡ−Ａ断面図、（ｄ）のＢ−Ｂ断面図に夫々示すように、板裏カバー裾部１０６の底面１０６ａであって螺子止め部１０７の直近位置には円筒状のボス部（突部）１０８を突設すると共に、遊技盤裏面にはこのボス部１０８を嵌合するための円筒状の位置決め用凹部１００ａを形成しておく。板裏カバーを遊技盤裏面に螺子止め固定するに際して、予め各ボス部１０８を各位置決め用凹部１００ａ内に嵌合させておくことにより、遊技盤裏面に対する板裏カバー裾部１０６の位置決め精度を高めることができ、螺子止め時の位置ずれに起因した板裏カバーの変形や傾きをなくすることができる。
位置決め用凹部１００ａは、ルーター穴１０１の周縁１０１ａよりも外側の遊技盤裏面に形成されるが、ルーター穴との干渉を避けるために、位置決め用凹部１００ａはルーター穴周縁から十分な距離Ｌ、例えば１ｃｍ以上の間隔を隔てて配置する必要がある。
【０００３】
ところで、遊技盤面中央部に配置されるセンター部材の左右両側に夫々遊技球の流下領域を設けて右側の流下領域への遊技球の打ち込みをも可能とした所謂右打ちが可能なタイプの遊技機が従来から知られている（特許文献１、２、３）。
センター部材の左側のみに遊技球の流下領域があるタイプのパチンコ遊技機にあっては、遊技盤の右側縁１００ｂ近傍まで部品レイアウトをする必要が少ないことから、遊技盤の右側縁１００ｂの直近にまでルーター穴周縁１０１ａが延在していることが少ない。このため、ルーター穴周縁と遊技盤の右側縁との間の遊技盤裏面に位置決め用凹部１００ａを形成するスペースを十分に確保することができ、板裏カバー１０５側のボス部１０８を全ての凹部１００ａに嵌合させた状態での螺子止めが可能となる。
【０００４】
ところが、図１０（ａ）の背面図に示した如き右打ちが可能なタイプの遊技盤にあっては、遊技盤の右側縁１００ｂ近傍まで部品レイアウトをする必要があるため、ルーター穴の右側周縁１０１ａが遊技盤の右側縁１００ｂぎりぎりまで延在することが多くなる。このような場合には、板裏カバー裾部１０６の右端縁１０６ｂに沿って配置された螺子止め部１０７の一部がルーター穴周縁１０１ａの直近の遊技盤裏面に対応した位置となるため、位置決め用凹部１００ａを遊技盤裏面に形成できなくなることが多かった。図１０の背面図の例で示せば、右下のコーナー部にある螺子止め部１０７の近傍であって裾部１０６の内側に位置決め用凹部１００ａを形成できないため、この部位では、位置決め用凹部１００ａとボス部１０８との位置決めなしで遊技盤裏面と板裏カバーの裾部との螺子止めが二箇所で行われることとなる（図１１（ａ）（ｂ）参照）。
しかし、４箇所ある螺子止め部１０７のうちの一箇所でも、位置決め用凹部１００ａとボス部１０８とによる位置決めが行われない螺子止めが行われると、この部位における板裏カバー１０５の位置決め精度が低下し、板裏カバーが変形し易くなる。板裏カバーは重量物である液晶表示装置、駆動機構部品、その他の部品を搭載するため、板裏カバーが部分的にでも変形を起こすと、搭載した部品が位置ずれ、変形を起こして、外観の悪化、作動不良を招く原因となる。
【先行技術文献】
【特許文献】
【０００５】
【特許文献１】特開平０５−００７６４６号公報
【特許文献２】特開２００７−２５２６２７公報
【特許文献３】特開２００９−０７２３４８公報
【発明の概要】
【発明が解決しようとする課題】
【０００６】
従来、ルーター穴が形成された遊技盤裏面に板裏カバーを螺子止め固定する場合に、螺子止め部がルーター穴に近接し過ぎていると位置決め用凹部を遊技盤裏面に形成できないため、位置決めなしで螺子止めをせざるを得ず、螺子止め部の位置ずれによって板裏カバーが変形し、板裏カバーに搭載した部品の外観悪化、作動不良を招く原因となっていた。
本発明は上記に鑑みてなされたものであり、遊技盤裏面に板裏カバーを螺子止めするための螺子止め部がルーター穴に近接し過ぎていることによって、板裏カバー裾部の底面に対応する遊技盤裏面部位に位置決め用凹部を形成できない場合であっても、当該螺子止め部近傍において位置決め用凹部と板裏カバー側のボス部との嵌合による位置決めを実現できるようにした遊技盤ユニットを提供することを目的としている。
【課題を解決するための手段】
【０００７】
上記目的を達成するため、請求項１の発明に係る遊技盤ユニットは、盤外周縁に周縁を近接させた貫通穴を有した遊技盤と、裾部を該遊技盤の裏面に複数箇所螺子止め固定される板裏カバーと、からなる遊技盤ユニットであって、前記貫通穴の周縁と前記盤外周縁との間の遊技盤裏面に形成される位置決め用凹部と、前記板裏カバーの裾部底面に突設されて該位置決め用凹部に嵌合する位置決め用のボス部と、からなる位置決め部を備え、前記位置決め用凹部の一部が、前記板裏カバーの裾部の固定位置を外側に越えた遊技盤裏面にはみ出して形成される場合に、前記ボス部の一部を前記裾部底面の外側に突出させて前記位置決め用凹部と嵌合し得るように構成したことを特徴とする。
【発明の効果】
【０００８】
本発明では、板裏カバーの裾部底面が接する遊技盤裏面の特定部位がルーター穴と近接し過ぎる虞があるために、当該特定部位に位置決め用凹部を形成することができない場合に、当該特定部位を回避した外側に位置をずらして位置決め用凹部を形成すると共に、板裏カバーの裾部底面側に設けるボス部についても裾部底面から外側に一部を突出させるようにずらして配置することにより、位置決め用凹部とボス部とを嵌合可能に構成した。このため、従来位置決め部を形成できなかった箇所に位置決め用凹部とボス部とからなる位置決め部を形成して、遊技盤裏面に対する板裏カバー裾部の位置決め精度と設置安定性を高めて、板裏カバーの変形を防止することができる。
【図面の簡単な説明】
【０００９】
【図１】本発明に係る遊技盤ユニットを備えた右打ちが可能なタイプのパチンコ遊技機の正面図である。
【図２】盤面部品を取り付けた遊技盤単体の正面図である。
【図３】盤面部品を取り付けた遊技盤単体の背面図である。
【図４】遊技盤の裏面に板裏カバーを固定した状態を示す斜視図である。
【図５】遊技盤と板裏カバーの分解斜視図である。
【図６】板裏カバーの正面側斜視図である。
【図７】盤面部品を搭載していない遊技盤の背面図である。
【図８】図７の遊技盤の要部拡大図である。
【図９】遊技盤裏面と板裏カバーとの接合部を示す斜視図である。
【図１０】（ａ）は従来の遊技盤と板裏カバーの位置関係を示す背面図であり、（ｂ）は（ａ）の要部分解斜視図、（ｃ）は（ａ）のＡ−Ａ断面図、（ｄ）は（ａ）Ｂ−Ｂ断面図である。
【図１１】（ａ）及び（ｂ）は図１０の要部斜視断面図、及びＣ−Ｃ断面図である。
【発明を実施するための形態】
【００１０】
以下、本発明を図面に示した実施の形態により詳細に説明する。
図１は本発明に係る右打ちが可能なタイプのパチンコ遊技機の正面図であり、図２及び図３は盤面部品を取り付けた遊技盤単体の正面図、及び背面図であり、図４は遊技盤の裏面に板裏カバーを固定した状態を示す斜視図であり、図５は遊技盤と板裏カバーの分解斜視図であり、図６は板裏カバーの正面側斜視図であり、図７は盤面部品を搭載していない遊技盤の背面図であり、図８は図７の遊技盤の要部拡大図であり、図９は遊技盤裏面と板裏カバーとの接合部を示す斜視図である。
【００１１】
図１に示すように、遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
遊技盤１のほぼ中央部には、中央が開口したセンター部材５が配置される。センター部材５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。本例では、図柄表示装置６の前方に仮面を象った２枚の図示しない開閉片が横方向へ開閉自在に配置されている。
センター部材５の右下方には、図柄表示装置６の特別図柄を可変表示させるための可変入賞装置１１が設けられている。また、可変入賞装置１１の右側には、普通図柄表示装置１６に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
【００１２】
可変入賞装置１１は、図柄表示装置６を可変表示させるための左右一対の開閉爪（可動片）を有する電動式チューリップを備えて構成される。
また遊技盤１には普通入賞口１４やアウト口１０等が設けられていると共に、風車１５や図示しない多数の遊技釘が突設されている。遊技釘は、遊技球の落下速度を遅くすると共に、落下方向を複雑に変化させて遊技進行上の興趣を高めている。
普通図柄表示装置１６に表示される普通図柄は、１個または複数個の図柄を変動表示可能であり、普通図柄始動口としてのゲート１２が遊技球を検出することを条件に、その図柄が乱数制御等により所定時間可変して停止するようになっている。
また図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１３】
本発明は、遊技盤１と遊技盤裏面に螺子止め固定される板裏カバー３０とからなる遊技盤ユニットＵにおいて、遊技盤裏面と板裏カバーとの接続構造に特徴を有している。
図２、及び図３中に破線で、図７の背面図中に実線で夫々示すように、遊技盤１にはルーター加工により貫通穴（以下、ルーター穴、という）２０が形成されている。
このパチンコ遊技機は所謂右打ちが可能なタイプであるため、ルーター穴２０の右端縁２０ａは遊技盤１の右端縁１ｂと近接しており、ルーター穴の右端縁２０ａと遊技盤の右端縁１ｂとの間の遊技盤裏面には僅かなスペースしか存在しない。
【００１４】
一方、板裏カバー３０は図４、図５、図６に示すように図柄表示装置６を組み付ける開口部３１ａを備えた略矩形の枠体３１と、枠体３１の四辺から夫々前方へ突設された側壁３２と、を備え、各側壁３２の裾部３２ａが交差する４箇所の角隅部には夫々円環状のボス部３５が突設されている。各側壁３２の裾部３２ａの角隅部の底面３２ｂはフラット面となっており、各フラットな底面３２ｂにボス部（位置決め部）３５が突設されている。ボス部３５の近傍の底面３２ｂには螺子を螺着するための螺子穴３６が形成されている。
なお、図６に示すように下側の側壁３２（３２Ａ）に沿った枠体３１の内面には図柄表示装置６の前面を開閉する図示しない開閉片を開閉駆動するための駆動機構の一部（ラックギヤ等）１７が配置されている。
【００１５】
板裏カバー３０の裾部３２ａが当接する遊技盤裏面には、図５、図７に示すように板裏カバー側の４個のボス部３５が嵌合する円形の位置決め用凹部（位置決め部）４０が形成されている。各位置決め用凹部４０内に各ボス部３５を嵌合させた状態で、各ボス部３５の近傍に設けた螺子穴３６に裏面側から螺子を螺着することにより板裏カバーは遊技盤裏面に固定される。
ボス部３５と位置決め用凹部４０は、位置決め部を構成している。
【００１６】
ところで、一般的にボス部３５は板裏カバーの角隅部の底面３２ｂから外側へはみ出さないように形成される。一方、ボス部を嵌合する位置決め用凹部４０は、ルーター穴２０の周縁２０ａとの干渉を回避するために、ルーター穴２０の周縁２０ａから１ｃｍ以上離間した箇所に形成する必要がある。しかし、図７、図８に示したようにルーター穴の右端縁２０ａと遊技盤の右端縁１ｂとの間の遊技盤裏面に僅かなスペースしか存在しない場合には、この距離を確保できないことがある。即ち、図８中に破線で示した位置決め用凹部４０は、対向する板裏カバー底面３２ｂの面積の範囲内ではあるが、ルーター穴の周縁２０ａと干渉し易い直近位置にあるため、この部位に形成することはできない。従来はこのような場合には、位置決め用凹部４０を遊技盤裏面に形成しなかったため、板裏カバー側の対応する底面にもボス部を設けることがなく、位置決めなしで螺子止めを行っていた。
【００１７】
これに対して本発明では、ある位置決め用凹部４０とルーター穴周縁２０ａとの間に十分な距離を確保しようとした際に板裏カバーの底面３２ｂから外側にはみ出した位置に位置決め用凹部４０を形成せざるを得ない場合に、そのようなはみ出し位置に位置決め用凹部４０を形成する一方で、この位置決め用凹部に嵌合するボス部３５については板裏カバー底面３２ｂから外側に一部が突出した状態となるように配置した。板裏カバー底面におけるこのボス部３５の形成位置は、はみだし位置にある位置決め用凹部と整合性よく嵌合し得る位置とすることは勿論である。
つまり、図８中に破線で示した位置決め用凹部４０の形成位置はルーター穴の周縁２０ａと近すぎるため、実線で示した離間位置が位置決め用凹部を形成するぎりぎりの位置となる。しかし、実線で示した位置に位置決め用凹部４０を形成するとすれば、板裏カバーの対応する底面３２ｂよりも外側に位置決め用凹部４０の一部が突出することとなる。
【００１８】
従来は、ボス部３５は底面３２ｂの面積の範囲内に納まるように形成することが常識であっため、底面３２ｂの外縁部から外側へはみ出た位置にある位置決め用凹部に嵌合するボス部を形成することは不可能であるとされていた。
これに対して本発明では、図９にも示すように、位置決め用凹部４０の位置が対応する板裏カバーの底面３２ｂよりも外側にずれた分だけ、ボス部３５も底面３２ｂの外縁部から突出するように設けることにより、ずれた位置にある位置決め用凹部４０内にボス部３５を嵌合できるようにした。位置決め用凹部４０とボス部３５を嵌合させた状態で、螺子穴３６を介して遊技盤裏面に螺子３７を螺着することにより、板裏カバーを遊技盤裏面に固定する。
即ち、本発明に係る遊技盤ユニットＵは、盤外周縁１ｂに周縁２０ａを近接させた貫通穴２０を有した遊技盤１と、裾部３２ａを遊技盤裏面に複数箇所螺子止め固定される板裏カバー３０と、からなり、貫通穴２０の周縁２０ａと盤外周縁１ｂとの間の遊技盤裏面に形成される位置決め用凹部４０と、板裏カバーの裾部底面３２ｂに突設されて位置決め用凹部４０に嵌合する位置決め用のボス部３５と、からなる位置決め部を備えている。更に、遊技盤ユニットＵは、位置決め用凹部４０の一部が、板裏カバー底面３２ｂの固定位置を外側に越えた遊技盤裏面にはみ出して形成される場合に、ボス部３５の一部を裾部底面の外側に突出させて位置決め用凹部と嵌合し得るように構成した点が特徴的である。
【００１９】
このように本発明においては、板裏カバーの裾部底面３２ｂが接する遊技盤裏面の特定部位がルーター穴２０と近接し過ぎる虞があるために、当該特定部位に位置決め用凹部４０を形成することができない場合に、当該特定部位を回避した外側に位置をずらして位置決め用凹部を形成すると共に、板裏カバーの裾部底面側に設けるボス部３５についても裾部底面から外側に一部を突出させるようにずらして配置することにより、位置決め用凹部４０とボス部３５とを嵌合可能に構成した。このため、従来位置決め部を形成できなかった箇所に位置決め用凹部とボス部とからなる位置決め部を形成して、遊技盤裏面に対する板裏カバー裾部の位置決め精度と設置安定性を高めて、板裏カバーの変形を防止することができる。
なお、本発明の遊技盤ユニットは、パチンコ遊技機、その他の遊技機に適用することができる。
【符号の説明】
【００２０】
１…遊技盤、１ａ…遊技領域、１ｂ…右端縁（盤外周縁）、２…ガラス枠、３…皿部、４…発射レバー、５…センター部材、１０…アウト口、１１…可変入賞装置、１２…ゲート、１３…大入賞口、１４…普通入賞口、１５…風車、１６…普通図柄表示装置、２０…ルーター穴（貫通穴）、２０ａ…ルーター穴周縁、２０ａ…右端縁、３０…板裏カバー、３１…枠体、３１ａ…開口部、３２…側壁、３２ａ…裾部、３２ｂ…裾部底面、３５…ボス部、３６…螺子穴、３７…螺子、４０…位置決め用凹部
【図１】
2012115322.tif 000003
【図２】
2012115322.tif 000004
【図３】
2012115322.tif 000005
【図４】
2012115322.tif 000006
【図５】
2012115322.tif 000007
【図６】
2012115322.tif 000008
【図７】
2012115322.tif 000009
【図８】
2012115322.tif 000010
【図９】
2012115322.tif 000011
【図１０】
2012115322.tif 000012
【図１１】
2012115322.tif 000013